(57)【特許請求の範囲】
【請求項１】
キャリア本体と、
該キャリア本体を支持する両肩ベルトおよび腰ベルトと、を備えて構成されている子守帯であって、
前記両肩ベルトは、前記キャリア本体の上端側を係脱可能に支持する一端側を、少なくとも前記キャリア本体の下端側に至る長さに延長させて当該下端側に連設させるとともに、他端側を前記キャリア本体の両側に長さ調整可能に連結してなり、
前記腰ベルトは、前記キャリア本体の前記両肩ベルトとの連設下端部分を折り返すように通して支持させるキャリア通し支持部を備えていることを特徴とする子守帯。
【請求項２】
前記キャリア本体と、当該キャリア本体の上端側から下端側に延びる前記両肩ベルトの延長ベルト部との間に、延長ベルト部に対して前記キャリア本体を係脱可能に連結支持させる連結手段を備えていることを特徴とする請求項１に記載された子守帯。
【請求項３】
前記キャリア本体の下端側に、開脚保持部材を備えていることを特徴とする請求項１または２に記載された子守帯。
【請求項４】
前記キャリア本体の上端側に、形態が異なる２種類の第１および第２のヘッドサポートを備えるとともに、第１のヘッドサポートを着脱可能に、第２のヘッドサポートを収納可能に備えてなり、
前記第１のヘッドサポートは、上辺両側が前記キャリア本体の上端両側にボタン留め、または、紐止めにより連結支持されるように形成されていることを特徴とする請求項１〜３いずれか１項に記載された子守帯。
【発明の詳細な説明】
【技術分野】
【０００１】
本発明は、幼児を抱っこやおんぶなどの状態で保持する子守帯に係り、特に、幼児を包み込むように保持するキャリア本体を、使用者（装着者）の身体に支持させるための両肩ベルトと腰ベルトとの双方を備えてなる構成の子守帯に関する。
【背景技術】
【０００２】
例えば、下記特許文献１などにおいては幼児の尻から背中全体を包み込むように保持するキャリア本体（同文献１ではフロント・ピースと称している）の着座部分の高さ位置などを、幼児の成長（身長）に合わせて調節可能とする子守帯（ベビーキャリア）が提案されている。
【先行技術文献】
【特許文献】
【０００３】
【特許文献１】特開２０１２−１５２５４７号公報
【発明の概要】
【発明が解決しようとする課題】
【０００４】
上記した特許文献１の従来技術は、幼児の成長に合わせてキャリア本体の着座部分の高さ位置を調節可能にしていることで、新生児から４歳児位までの成長に合わせて長く使用することができる子守帯として有効なものと言える。
【０００５】
本発明の課題は、幼児を抱っこやおんぶなどで保持する子守帯であって、幼児の成長（身長）に合わせたキャリア本体の、特に、縦長さを無段階に調整変更可能と成し、また、幼児の尻を受ける部分の幅なども変更可能と成して、幼児の成長に合わせてバランスよく、快適に保持し得るようにすることにある。
【課題を解決するための手段】
【０００６】
前記課題を解決するために、本発明に係る子守帯では、少なくとも以下の構成を具備する手段を講ずるものである。
【０００７】
キャリア本体と、該キャリア本体を支持する両肩ベルトおよび腰ベルトとを備えて構成されている子守帯であって、
前記両肩ベルトは、前記キャリア本体の上端側を係脱可能に支持する一端側を、少なくとも前記キャリア本体の下端側に至る長さに延長させて当該下端側に連設させるとともに、他端側を前記キャリア本体の縦長さ方向の両側に長さ調整可能に連結してなり、前記腰ベルトは、前記キャリア本体の前記両肩ベルトとの連設下端部分（連設下半部）側を含めた当該両肩ベルトの延長ベルト部を折り返すように通して支持させるキャリア通し支持部を備えて、前記キャリア本体の縦長さを調整可能に構成してなることを特徴とする。
【０００８】
ここで、前記キャリア本体の外側に沿ってキャリア本体の上端側から下端側に延びる前記両肩ベルトの延長ベルト部と前記キャリア本体との間に、延長ベルト部にキャリア本体を縦長さ方向に無段階で係脱可能に連結支持させる連結手段を備えていることが好ましい。
また、前記キャリア本体の下端側に、開脚保持部材を備えていること、そして、前記キャリア本体の上端側に、形態が異なる２種類の第１および第２のヘッドサポートを備えるとともに、第１のヘッドサポートを着脱可能に、第２のヘッドサポートを収納可能に備えてなり、前記第１のヘッドサポートは、幅広上辺両側が前記キャリア本体の上端両側にボタン留めと紐止めとにより連結支持されるように形成されていること、などの構成を採用することが好ましい。
また、前記開脚保持部材は、不使用時において、前記キャリア本体の下端側に備えられている収納部（ポケット）に収納可能とする構成を採用することが好ましい。また、形態が異なる第１および第２のヘッドサポートのうち、第１のヘッドサポートは、後頭部から両側頭部を支える縦幅（高さ）と横幅（長さ）を有する平面視で湾曲形態を成すようにパットなどの内装素材を内設させたパット入り形態に形成、第２のヘッドサポートは、頭部全体にすっぽりと覆い包み込むように被せることができるフード形態（頭巾状）に形成されていることが好ましい。
【０００９】
このような構成によれば、例えば、生後１ヶ月頃の幼児に合わせてキャリア本体の縦長さを調整する場合は、腰ベルトのキャリア通し支持部から両肩ベルトとのキャリア本体の連設下端部分側の両肩ベルト側への通し量を多めに調整する。この調整により、キャリア通し支持部からキャリア本体の上端に至るキャリア本体の縦長さを短くなる。このとき、キャリア本体の連設下端部分から両肩ベルトの他端側に至る長さが長くなるが、当該他端側のキャリア本体に対する連結長さを調整することで、両肩ベルトが弛むことなく、使用者（装着者）の両肩に掛けることができ、腰ベルトを腰部に巻き付け装着することができる。キャリア通し支持部に通されたキャリア本体の連設下端部分は、腰ベルトによって支持される。
一方、幼児の成長（身長）に合わせてキャリア本体の縦長さを調整する場合は、キャリア本体の連設下端部分側を含めて両肩ベルトの延長ベルト部が通されている腰ベルトのキャリア通し支持部から両肩ベルトの延長ベルト部とのキャリア本体の連設下端部分側のキャリア本体側への通し量を多めに調整する。つまり、キャリア本体をキャリア通し支持部から上方へ引き上げる調整を行うことで、キャリア通し支持部からキャリア本体の上端に至るキャリア本体の縦長さを長く変更することができる。
【００１０】
また、股関節が開いて足をＭ字型に開脚させた開脚着座姿勢での保持が可能な月齢・成長段階に達した幼児を保持する場合には、キャリア本体の縦長さの調整に加え、キャリア本体の下端側に収容されている開脚保持部材を使用することで、足をＭ字型に開脚させた開脚着座姿勢にて幼児を保持することができる。
【００１１】
また、キャリア本体の上端側に備えられている形態が異なる２種類の第１および第２のヘッドサポートのうち、平面視で湾曲形態を成すように形成されているパット入り形態の第１のヘッドサポートを使用することで、頭部の動きを拘束することなく、また、圧迫などの不快感を与えることなく、後頭部から両側頭部を支えることができる。
また、頭部全体にすっぽりと覆い包むように被せることができるように形成されているフード形態の第２のヘッドサポートを使用することで、冬場の冷たい外気や夏場の強い日差しなどから幼児の頭部を保護することができる。
【発明の効果】
【００１２】
このような特徴を有する本発明の子守帯によれば、キャリア本体の縦長さを無段階で調整変更可能に構成してなることで、幼児の成長（身長）に合わせて調整された縦長さのキャリア本体にて包み込み保持する。つまり、の幼児の成長に合わせてバランスよく、快適に保持することができる。
また、股関節を開いたＭ字型の開脚着座姿勢で保持できる月齢・成長段階に達した幼児を、幅広の開脚保持部材によって正しい開脚着座姿勢にて保持することができる。
【００１３】
また、形態が異なる２種類の第１および第２のヘッドサポートによって、頭部の動きを拘束することなく保持することができる通常の使用として幼児の頭部を保持、そして冬場の冷たい外気や夏場の強い日差しから頭部全体を保護する防寒用、日除け用として幼児の頭部を保護することができる。
【００１４】
また、第１のヘッドサポートの幅広上辺両側をボタン留めよりキャリ本体の上端両側に連結支持させた使用では、幼児の頭部の動きを拘束することなく、後頭部から側頭部を保持することができ、一方、紐止めにより連結支持させた使用では、後頭部から側頭部をしっかりと保持することができる。つまり、紐止めによる第１のヘッドサポートの使用は、例えば、首がすわっていない生後１ヶ月頃の幼児の頭部を保持するのに有効なものとなる。
【図面の簡単な説明】
【００１５】
【図１】本実施形態に係る子守帯の全体構成を後側（幼児を包み込み保持するキャリア本体の内側）から見たときの説明図である。
【図２】同子守帯を前側（キャリア本体の外側）から見たときの説明図である。
【図３】同子守帯の両肩ベルトをキャリア本体のベルト通し支持部から取り外し、また、パット入り形態のヘッドサポートをキャリア本体から取り外した状態を表側から見たときの展開説明図である。
【図４】同子守帯を内側から見たときの同展開説明図において、腰ベルトをキャリア本体および両肩ベルトから取り外し、また、開脚保持部材を収納部から取り出し展開させた状態を示す。
【図５】パット入り形態のヘッドサポートを示した拡大説明図であり、（ａ）は、キャリア本体の収納部にスライドファスナにて取り付けた状態を示し、（ｂ）は、キャリア本体から取り外した状態を示す。
【図６】フード形態のヘッドサポートが収納保管される収納部を部分的に示した拡大説明図であり、（ａ）は、ヘッドサポートが収納されている状態を示し、（ｂ）は、ヘッドサポートを取り出した状態を示す。
【図７】開脚保持部材が収納保管される収納部を部分的に示した拡大説明図であり、（ａ）は、開脚保持部材が収納されている状態を示し、（ｂ）は、開脚保持部材を取り出してボタン留めにより腰ベルトに連結支持させた状態を示す。
【図８】生後１ヶ月頃の幼児を保持している状態を示した使用説明図である。
【図９】１歳頃の幼児を保持している状態を示した使用説明図である。
【図１０】フード形態のヘッドサポートを使用して幼児を保持している状態を示した使用説明図であり、（ａ）は、側面図であり、（ｂ）は、使用者の前側から見たときの正面図である。
【発明を実施するための形態】
【００１６】
以下、図面を適宜参照しながら、本発明に係る子守帯Ａについて詳細に説明する。本発明の実施形態は図示の形態を含むが、これに特に限定されるものではない。
本実施形態に係る子守帯Ａは、例えば、生後１ヶ月頃の幼児ｂ１から２歳頃までの幼児ｂ２の成長（身長）に合わせて、キャリア本体１の縦長さを調整変更可能にしたこと、股関節を開いたＭ字型の開脚着座姿勢での保持に変更可能にしたこと、また、幼児の頭部を通常の保持として、そして、防寒用、日除け用として保護することを可能にしたこと、などを特徴とする。
ちなみに、子守帯Ａによって生後１ヶ月頃の幼児ｂ１から２歳頃までの幼児ｂ２を保持する際の態様としては、抱っことおんぶとがあり、抱っこには対面抱っこと前向き抱っことがあり、使用者Ｂはこれらの態様にて幼児を保持するものである。
【００１７】
≪子守帯Ａの構成≫
子守帯Ａは、図１〜図４に示すように、キャリア本体１と、キャリア本体１の上端両側と縦長さ方向途中部位の両側とを支持する左右の両肩ベルト（ショルダベルト）２と、キャリア本体１の下端側を支持する腰ベルト（ウエストベルト）３とを、基本構成要素として備えている。また、子守帯Ａは、図５および図６、図８〜図１０に示すように、形態が異なる２種類のヘッドサポート（第１のヘッドサポート４と第２のヘッドサポート５）を備えている。
【００１８】
≪キャリア本体１の構成≫
キャリア本体１は、生後１ヶ月頃の幼児ｂ１から２歳頃までの幼児ｂ２を抱っこやおんぶなどの態様で身体の略全体を保持するものであり、例えば、通気性に優れたメッシュ素材などから内張り素材の表面側に撥水性に優れた外張り素材が宛がわれているシート地材（布地）を用いた縫製により形成されている。
このキャリア本体１は、生後１ヶ月頃の幼児ｂ１や幼児ｂ２の背中全体を包み込むように保持する背当て部１ａと、この背当て部１ａの下端から生後１ヶ月頃の幼児ｂ１や幼児ｂ２の尻を受けるように延設（連設）されている尻受け部１ｂとから、上端側を広く、下端側に至るにしたがって狭くなる全体として縦長で逆向きの略台形形状に構成されている。
【００１９】
背当て部１ａは、例えば、生後１ヶ月頃の幼児ｂ１の背中を両脇または両肩に至る程度の高さにて包み込むように保持する縦長さに形成されており、図１に示すように、両肩ベルト２に連結支持される上端両側部分を除く、当該上端両側間に略円弧形状の凹み（窪み）６を設けてなる形態（形状）を呈している。
また、図１および図２に示すように、背当て部１ａは、縦長さ方向における下端側（尻受け部１ｂ側）の両側に、斜め上向きの舌片状に突設させた連結片部７を備えている。この連結片部７には両肩ベルト２の他端側を連結するための長尺な連結ベルト８が縫着などによって取り付けられており、連結ベルト８には雄雌一対のバックル９ａ，９ｂの一方側がベルト方向に移動可能に備えられている。連結ベルト８は、合成繊維などの丈夫な素材を用いて薄い帯状に編み込み形成されている。
【００２０】
雄雌一対のバックル９ａ，９ｂのうち、例えば、雄側バックル９ａは、連結ベルト８を折り返すように通すことで、連結ベルト８に移動不能に装着される一方で、連結ベルト８の折返し状態を緩めることによりベルト方向へ移動可能とする周知の構造を呈している。つまり、雄側バックル９ａの連結ベルト８に対する折返し係止位置を変えるように、連結ベルト８の余剰ベルト部分を締め付ける、または、緩める操作を行うことで、背当て部１ａ両側の連結片部７に対する連結ベルト８の連結長さを調整変更可能としている。換言すれば、背当て部１ａの両側に対する両肩ベルト２の他端側の連結長さを調整変更可能としてなる。
【００２１】
また、図１〜図４に示すように、背当て部１ａは、上端両側と縦長さ方向両側の中途部位における上下２ヶ所の外側（シート地材表面）にベルト通し支持部１０，１１を備えている。
上下２ヶ所のベルト通し支持部１０，１１は、縫着などによって取り付けられるもので、両肩ベルト２のベルト幅およびベルト厚さに相当する大きさで適宜の長さを有する筒状に形成されている。これにより、両肩ベルト２の後記する延長ベルト部２ａは上下２ヶ所のベルト通し支持部１０，１１に抜き差し挿通可能と成して、図３および図４に示すように、ベルト通し支持部１０，１１から引き抜き分離し得るようにしている。つまり、図４に示すように、キャリア本体１を含めた両肩ベルト２から後記詳述の腰ベルト３を取り外し分離し得るように形成してなる。
【００２２】
そして、上下２ヶ所のベルト通し支持部１０，１１は、連結手段である面ファスナ（マジックテープ（登録商標））１２ａ，１２ｂによって両肩ベルト２の延長ベルト部２ａに係脱可能に連結支持されるようになっている。面ファスナ１２ａ，１２ｂのうち、例えば、雄側面ファスナ１２ａは、図３に示すように、延長ベルト部２ａのベルト幅に相当する幅を有する短尺な帯状形態に形成されて、ベルト通し支持部１０，１１の筒内面に縫着などによって取り付けられる。
【００２３】
なお、図示を省略しているが、雄側面ファスナ１２ａをベルト通し支持部１０，１１間にわたる長尺な帯状形態に形成して、ベルト通し支持部１０，１１間にわたり一連に備えることができる。
また、上下２ヶ所のベルト通し支持部１０，１１を筒方向に分離するとともに、筒方向の両分離片部をスライドファスナにて開閉可能に突き合わせ連結する構成、または、一方の分離片部が他方の分離片部に重なり合うように形成するとともに、両分離片部を面ファスナやボタン、またはホックなどによって開閉可能な筒状に重合連結するなどの構成とすることができる。このような構成を採用することで、ベルト通し支持部１０，１１から両肩ベルト２の延長ベルト部２ａを引き抜くことなく、ベルト通し支持部１０，１１を筒方向に開いた状態で延長ベルト部２を取り外すことができる。この場合、抱っこされた幼児ｂ２が怪我などをしないように、スライドファスナ、ボタン、ホックなどを目隠すための保護カバーなどを備えるとよい。
【００２４】
また、図５および図７に示すように、背当て部１ａは、第２のヘッドサポート５および後記する開脚保持部材１３を収納保管して置くための収納部１４，１５を上端側と下端側にそれぞれ備えている。
第２のヘッドサポート５の収納部１４は、例えば、背当て部１ａがシート地材を用いて縫着されるとき、背当て部１ａのシート地材の表面側に収納部形成用のもう一枚のシート地材を宛がい縫着することによって、図５に示すように、背当て部１ａの上端両側間の凹み６側に開口部を有して背当て部１ａの表面側に袋状（ポケット状）に形成されるものである。これにより、第２のヘッドサポート５を使わないときなどに収納保管して置けるようにしている。
【００２５】
一方、開脚保持部材１３の収納部１５は、同じく背当て部１ａがシート地材を用いて縫着されるとき、背当て部１ａの尻受け部１ｂとの連設側（下端側）において背当て部１ａの外張り素材（シート地材）と内張り素材とを縫着せずに残すことによって、図７に示すように、尻受け部１ｂ側に開口部を有して背当て部１ａの内側に袋状（ポケット状）に形成されるものである。これにより、幼児ｂ２がＭ字型に開脚させた開脚着座姿勢にて保持できる月齢・成長段階に達するまでの間、開脚保持部材１３を収納保管して置けるようにしている。
【００２６】
なお、図示を省略しているが、収納部１４，１５の開口部に面ファスナやボタン、その他の係脱自在な開閉部材を備えて、第２のヘッドサポート５、開脚保持部材１３が不用意に飛び出さないように収納部１４，１５の開口部を閉じられるようにするとよい。
【００２７】
尻受け部１ｂは、キャリア本体１における両肩ベルト２との連設下端部分となり、両肩ベルト２の延長ベルト部２ａと連設される。
この尻受け部１ｂは、背当て部１ａの下端側から延設させた当該背当て部１ａを形成するシート地材（布地）にて、例えば、生後１ヶ月頃の幼児ｂ１の尻を保持し得る程度の横幅（保持幅）で両側を内側に弓形形状として従来尻受け部よりも長めに形成されている。つまり、尻受け部１ｂは、幼児ｂ２の腰部背後から股部側、必要に応じて腹部側に至る尻全体を保持するために本来必要とする長さよりも長めに形成されている。
これにより、腰ベルト３の後記するキャリア通し支持部１６に折り返すように通して、当該キャリア通し支持部１６に支持される両肩ベルト２の延長ベルト部２ａを含めた尻受け部１ｂの折り返し位置を変えることで、背当て部１ａの縦長さを幼児ｂ２の成長（身長）に合わせて無段階に調整変更することができるようにしている。つまり、本実施例では、キャリア本体１を、幼児ｂ２の成長に合わせて尻受け部１ｂの一部が幼児ｂ２の尻（腰付近）から背中の略全体を支持する背当て部１ａとして利用される形態に形成してなる。
【００２８】
≪両肩ベルト２の構成≫
つぎに、キャリア本体１の背当て部１ａを使用者（装着者）Ｂの身体（両肩）に支持させる両肩ベルト２について説明する。
両肩ベルト２は、例えば、図８および図１０に示すように、生後１ヶ月頃の幼児ｂ１や１歳頃の幼児ｂ２を抱っこで保持したとき、使用者Ｂの胸元付近から両肩を経由して背中から両脇に架け渡されて背当て部１ａを支持するものであり、キャリア本体１の尻受け部１ｂから延設（連設）させた一枚のシート地材（布地）をベルト幅の袋状（管状）を成すように、両肩ベルト２のベルト間隔にて裁断・縫着などにより形成されている。つまり、本実施例に係る子守帯Ａを構成する背当て部１ａと尻受け部１ｂとかなるキャリア本体１と、両肩ベルト２とは一枚のシート地材を用いた裁断・縫着などによる縫製によって形成されている。
【００２９】
そして、両肩ベルト２は、キャリア本体１の背当て部１ａの上端両側を支持する一端側を、キャリア本体１の縦長さ方向の両側（外側）に沿わせて尻受け部１ｂ側に至る長さに延長させた長尺な帯状と成して、当該一端側を尻受け部１ｂに連設させてなる。両肩ベルト２の他端側には背当て部１ａの連結ベルト８に備えられている雄側バックル９ａに係脱可能に係合される雌側バックル９ｂが備えられている。
【００３０】
雌側バックル９ｂは、両肩ベルト２の他端側から一端側に至るベルト方向の所定の範囲にて備えられているベルト部材１７に取り付けられた状態で両肩ベルト２の他端側に備えられる。ベルト部材１７は、雌側バックル９ｂを取り付け支持する一端側と他端側とが両肩ベルト２に縫着などによって取り付けられており、同縫着部間においては取り付けられずに、後記するブリッチベルト１８が連繋部材１９を介してベルト方向移動可能と成すようにしている。
【００３１】
このような構成において、キャリア本体１の尻受け部１ｂに連設される両肩ベルト２の延長ベルト部２ａには背当て部１ａの上端両側および両側中途の上下２ヶ所のベルト通し支持部１０，１１に備えられている雄側面ファスナ１２ａに係脱自在に係着（結合）される雌側面ファスナ１２ｂが備えられている。
雌側面ファスナ１２ｂは、延長ベルト部２ａのベルト幅に相当する幅で、少なくとも上下２ヶ所のベルト通し支持部１０，１１間にわたり当該ベルト通し支持部１０，１１から上下方向に延設（延出）する程度の長さを有する長尺な帯状形態に形成され、図３に示すように、延長ベルト部２ａのベルト方向における所定範囲に縫着などによって取り付けられる。
これにより、両肩ベルト２の延長ベルト部２ａのベルト方向任意の位置に背当て部１ａを、上端両側および両側中途の上下２ヶ所のベルト通し支持部１０，１１にて連結支持させることを可能にしている。つまり、幼児ｂ２の成長（身長）に合わせて背当て部１ａの縦長さを、延長ベルト部２ａのベルト方向に対する背当て部１ａの面ファスナ１２ａ，１２ｂによる連結支持高さの位置変更によって無段階に調整できるように構成してなるものである。
【００３２】
なお、図示を省略しているが、上下２ヶ所のベルト通し支持部１０，１１のいずれか一方側と延長ベルト部２ａとの面ファスナ１２ａ，１２ｂによる連結支持高さ位置を、幼児ｂ２の成長に合わせて調整変更する際の目安となる、つまり、キャリア本体１の縦長さを幼児ｂ２の成長に合わせて調整変更する際の目安となる文字や記号、例えば、幼児ｂ２の月齢・身長を表す記号（ＳＳ、Ｓ、Ｍ、Ｌなど）を、腰ベルトの後記するキャリア通し支持部１６に折り返すように通されるキャリア本体１の尻受け部１ｂや後記する開脚保持部材１３の複数ヵ所の各留め孔２８に備えることができる。このような手法を採用することで、面ファスナ１２ａ，１２ｂの係着（結合）状態を解除した状態で、記号で表示された月齢・身長に合わせる調整を行うことで、キャリア本体１の縦長さを幼児ｂ２の成長（身長）に簡単に合わせることが可能になる。
【００３３】
また、図８および図９に示すように、使用者Ｂの胸元付近から両肩を経由して背中から両脇に掛け渡されて背当て部１ａの両側に連結される両肩ベルト２のベルト部分は、幅広の帯状に形成されているとともに、柔らかい内部素材、例えば、ウレタンその他の材質からなるクッション材などの弾性素材が内設されており、使用者Ｂの肩などの身体への荷重負担などを和らげるように形成されている。
【００３４】
また、両肩ベルト２には、図１〜図４に示すように、ブリッジベルト１８が備えられている。ブリッジベルト１８は、生後１ヶ月頃の幼児ｂ１や１歳頃の幼児ｂ２を保持している使用状態において、両肩ベルト２が使用者Ｂの両肩からずり落ちないように両肩ベルト２の間隔を規制するように連結する。
このブリッチベルト１８は、両肩ベルト２にそれぞれループ形態にて取り付けられるともに、使用者Ｂの体格などに合わせてベルト長さを調整し得るように形成されている。両肩ベルト２に対するループ取付け部１８ａは、両肩ベルト２に備えられているベルト部材１７に連繋部材１９を介して連繋された状態で両肩ベルト２のベルト方向に適宜移動し得るように取り付けられている。
【００３５】
そして、ブリッチベルト１８の解放端側には、連結・分離可能とする２部材からなる連結部材２０が備えられている。連結部材２０の具体的な構造については図示を省略しているが、例えば、相互の磁気引付力（磁気引合力）によって結合される雄スナップ部材と雌スナップ部材との２部材から構成されている。雄スナップ部材２０ａおよび雌スナップ部材２０ｂは、ブリッジベルト１８のベルト幅よりも幅広矩形の扁平形状を成し、扁平面同士が重なる関係で結合されるように形成されている。
このような構造からなる連結部材２０を採用することで、ブリッチベルト１８の連結・分離を簡易な操作によって行うことができる。つまり、使用者Ｂが子供帯Ａを身体に装着すとき、身体から取り外すときのブリッチベルト１８による両肩ベルト２の連結・分離を簡易な操作に行なうことができるので、使用者Ｂの負担を軽減することができる。
【００３６】
≪腰ベルト３の構成≫
つぎに、キャリア本体１の尻受け部１ｂ側を使用者（装着者）Ｂの身体（腰部）に支持させる腰ベルト３について説明する。
腰ベルト３は、使用者Ｂの腰部に巻き付け装着されるものであり、例えば、シート地材（布地）を用いて、使用者Ｂの体格に合わせて腰部にループ状に巻き付け装着される腰回り相当する範囲にて幅広帯状に形成されている。
そして、腰ベルト３は、装着時に、腰部に沿う柔軟性（可撓性）を備えた上で、幼児ｂ２の体重をしっかり、安定よく使用者Ｂの腰部にて保持することができる適宜の保形性(定形性)が得られる程度の厚さに形成されている。
【００３７】
また、腰ベルト３は、帯長さ方向の一端側における外側（腰部に巻き付け装着された状態において表面側）に雌側バックル２１ａを備え、他端側における外側には使用者Ｂの体格に合わせて長さを調整可能とする連結ベルト２２を介して雄側バックル２１ｂを備えている。連結ベルト２２は、例えば、合成繊維などの丈夫な素材を用いて薄い帯状に編み込み形成されている。
これにより、使用者Ｂの腰部に巻き付けるように腰ベルト３を装着するときに、雄雌バックル２１ａ，２１ｂの係脱分離可能な連結によって、腰ベルト３を腰部にループ状に装着することができる。また、雄側バックル２１ｂの連結ベルト２２に対する係止定着位置を変えるように、連結ベルト２２の余剰ベルト部分を締付ける、または、緩める操作を行うことで、腰ベルト３のベルト長さを使用者Ｂの体格に合わせて調整可変し得るようになっている。
【００３８】
このように形成されている腰ベルト３は、帯長さ方向における略中央部分に保形部材２３を内在するとともに、両肩ベルト２の延長ベルト部２ａを含めて一体に連設するキャリア本体１の尻受け部１ｂを折り返すように通して支持させるキャリア通し支持部１６を備えている。
保形部材２３は、キャリア通し支持部１６が取り付けられる腰ベルト３部分を強化するためのものであり、適度の可撓性と剛性を有する材料（例えば、合成樹脂材など）によってキャリア通し支持部１６の長さに相当する長さで腰ベルト３のベルト幅（ベルト高さ）に相当する幅にて適宜の厚さを有する板状に形成されている。
【００３９】
≪キャリア通し支持部１６の構成≫
キャリア通し支持部１６は、使用者Ｂの腰部に支持されるキャリア本体１の尻受け部１ｂを、長さ方向（背当て部１ａおよび両肩ベルト２に対する連設方向）の任意位置で無段階に折り返し支持するものである。このキャリア通し支持部１６は、前記の連結ベルト２２などと同じく、例えば、合成繊維などの丈夫な素材を用いて比較的に厚めの帯状に編み込み形成されているとともに、尻受け部１ｂの横幅（着座横幅）よりも長めに裁断されて両端側が縫着などによって腰ベルト３に取り付けられるものである。このとき、腰ベルト３内に内設されている保形部材２３もキャリア通し支持部１６の縫着によって同時に移動不能に取り付けられる。
【００４０】
≪ヘッドサポート４，５の構成≫
つぎに、生後１ヶ月頃の幼児ｂ１から１歳頃の幼児ｂ２の頭部を保持、そして保護する形態が異なる２種類のヘッドサポート４，５について説明する。
まず、初めに第１のヘッドサポート４について説明する。この第１のヘッドサポート４は、図８および図９に示すように、幼児ｂ２の頭部を後頭部側と側頭部側から支えて頭部が後方や側方などへ倒れ込まないように保持する通常の目的（一般的な使い方）で使用されるものである。
第１のヘッドサポート４は、例えば、撥水性などに優れた内外表面の外装素材内に、所定の保形性を有するパット（ウレタン）などの内装素材を内設する縫製によって、図５に示すように、上辺側を幅広く、下辺側に至るにしたがって幅狭くなる逆向きの略台形形状にて使用時には平面視で湾曲形態の定形を成すように形成されている。
【００４１】
そして、図５に示すように、第１のヘッドサポート４は、幅狭下辺側にスライドファスナ２４ａ，２４ｂの一方側、スライドファスナ２４ａを備えている。これにより、第１のヘッドサポート４は、背当て部１ａの第２のヘッドサポート５が収納保管される収納部１４の開口部内に位置して備えられる他方側のスライドファスナ２４ｂとの係着（係合）によって背当て部１ａの上端側に取外し着脱可能に備えられる。
【００４２】
また、第１のヘッドサポート４は、幅広上辺側の両側を背当て部１ａの上端両側に連結部材２４によって着脱可能に連結支持させるように形成されている。連結部材２４は、ボタン形態を成して、背当て部１ａの上端両側にループ状のベルト部材２５を介して取り付けられ、第１のヘッドサポート４の幅広上辺両側に備えられているボタン孔２６に通す、つまり、ボタン留めすることで、図９に示すように、第１のヘッドサポート４の幅広上辺両側を背当て部１ａの上端両側（ベルト通し支持部１０）に連結支持されるように形成されている。これにより、第１のヘッドサポート４は幼児の頭部の動きなどを拘束することなく、後頭部から側頭部を保持するものである。
【００４３】
また、図５に示すように、第１のヘッドサポート４は、ボタン孔２６が開口されている幅広上辺両側における側部にループ状の連結掛け紐３０を備えている。
連結掛け紐３０は、図８に示すように、背当て部１ａの上端両側を内側から外側に巻き込むようにして連結部材２４に掛けることで、第１のヘッドサポート４の両側を背当て部１ａの上端両側の内側に位置させた状態で第１のヘッドサポート４の幅広上辺両側を、背当て部１ａの上端両側（ベルト通し支持部１０）に連結支持するように形成されている。
これにより、第１のヘッドサポート４の幅広上辺両側を連結掛け紐３０による紐止めにより背当て部１ａの上端両側に連結支持させることで、首がすわっていない生後１ヶ月頃の幼児ｂ１の頭部を、後頭部のみならず側頭部側からもしっかりと保持するものである。
【００４４】
一方、第２のヘッドサポート５は、図１０に示すように、幼児ｂ２の頭部を冬場の冷たい外気から、そして、夏場の強い日差しなどから保護する防寒用、日除け用として使用されるものである。
第２のヘッドサポート５は、例えば、外気の通過などを遮り、そして、日差しの透過などを遮ることができる適宜の防寒性（保温性）と遮蔽性を有するなどのシート地素材にて幼児ｂ２の頭部全体にすっぽりと覆い包むように被せることができる大きさに縫製されることによって、図１０に示すように、フード形態（頭巾状）に形成されている。
【００４５】
そして、第２のヘッドサポート５は、フード開口縁に沿わせて、当該フード開口縁が絞り込まれるようにゴム紐などから伸縮部材（図示省略）が縫着により備えられており、幼児ｂ２の頭部全体を覆い包むように被せられた状態で顔面周りのフード開口縁が絞り込まれるようにしている。
このように、フード形態でフード開口縁が絞り込まれるように形成されている第２のヘッドサポート５は、フード部分から下方に延設されている延長部分が背当て部１ａ上端側の収納部１４の開口内側に縫着などによって取り付けられることで、背当て部１ａの上端側に備えられるとともに、不使用時には収納部１４に収納保管されるようになっている。
【００４６】
また、第２のヘッドサポート５は、フード開口縁における上半側の両側に、両肩ベルト２に係脱可能に連結支持させるためのフード支持部材２７を備えている。
フード支持部材２７は、図２、図４および図６示すように、フード開口縁の両側に縫着などによって一端側が取り付けられる適宜の長さを有するバンド部２７ａと、両肩ベルト２側に備えられるリング部２７ｂとからなり、リング部２７ｂにバンド部２７ａを折り返すように通すことで、第２のヘッドサポート５を両肩ベルト２に連結支持させるように形成されている。
【００４７】
バンド部２７ａは、係脱自在に係着（嵌着）される雄雌からなるボタンを備えてなり、雌側ボタンは、バンド部の他端側端部に取り付けられ、雄側ボタンは、雌側ボタンから間隔をおいたバンド部２７ａの他端側から一端側に等間隔をおいて取り付けられる。
これにより、図１０に示すように、幼児ｂ２の頭部全体を覆うように被せられる第２のヘッドサポート５を両肩ベルト２に連結支持させるようにしている。
【００４８】
なお、図示を省略しているが、両肩ベルト２に対するブリッチベルト１８の取付け部以外に、ベルト部材１７のベルト方向に単独で移動可能とするもう一つのリング部２７ｂを両肩ベルト２に備えることが望ましい。これにより、例えば、体型が小さい使用者であっても第２のヘッドサポート５の使用時において、同第２のヘッドサポート５を両肩ベルト２に確実に連結支持させることができ、有効なものとなる。
【００４９】
そして、本実施例では、このような構成からなる子守帯Ａのキャリア本体１に開脚保持部材１３を備えている。
【００５０】
≪開脚保持部材１３の構成≫
開脚保持部材１３は、キャリア本体１の尻受け部１ｂとともに幼児ｂ２の尻を保持し、なおかつ、足をＭ字型に開脚させた開脚着座姿勢にて幼児ｂ２を保持するものである。つまり、股関節が開いて足をＭ字型に開脚させた開脚着座姿勢にて保持できる月齢・成長段階（例えば、生後９カ月頃）まで成長した幼児ｂ２の内股を違和感なく、バランスのとれたＭ字型の開脚着座姿勢にて尻とともに保持する、所謂内股保持機能を成すものである。
この開脚保持部材１３は、例えば、柔らかい内張り素材の表面側に外張り素材が宛がわれているシート地材（布地）を用いた縫製によって背当て部１ａから連設する前記した尻受け部１ｂの横幅（太ももから股裏まで支える保持部の横幅）よりも幅広に形成されている。
具体的に説明すると、図７に示すように、開脚保持部材１３は、背当て部１ａ下端側の収納部１５の開口縁に沿って縫着により取り付けられる一辺側の横幅を尻受け部１ｂの横幅よりも幅広で、当該一辺側と略平行に対向する他辺側の横幅を一辺側よりもさらに幅広とする平面視で略台形形状に形成されている。
これにより、Ｍ字型の開脚着座姿勢にて保持できる月齢・成長段階に達した直後の幼児ｂ２から子守帯Ａによる保持対象の例えば、４歳児をも開脚着座姿勢で保持できるようにしている。つまり、開脚保持部材１３は、幼児ｂ２の成長（身長）に合わせた正しい開脚着座姿勢にて保持できる平面視で略台形形状の幅広状に形成されている。
【００５１】
そして、図４および図７の（ｂ）に示すように、開脚保持部材１３は、幅広他辺側に位置する両側縁辺に、当該幅広他辺側を腰ベルト３に着脱可能に連結支持させる留め孔（連結孔）２８を備えている。
【００５２】
留め孔２８は、開脚保持部材１３の幅広他辺側から幅狭一辺側に向けた両側縁辺において等間隔をおいた複数ヵ所（図示例では３ヶ所）にスリット状の開口形態に形成されている。
これにより、図７に示すように、腰ベルト３側に備えられているボタン形態の留め具（連結具）２９を、等間隔で存在するいずれかの留め孔２８に通す、つまり、ボタン留めすることで、開脚保持部材１３の幅広他辺側が腰ベルト３に連結支持される。
そして、幅広他辺側に一番近い留め孔２８を選択して留め具２９を通して腰ベルト３に開脚保持部材１３を連結支持させた状態（形態）では、横幅が一番広い幅広の状態でＭ字型に開脚させた開脚着座姿勢にて幼児ｂ２の内股間を保持するようにしてなる。つまり、前記したように、幼児ｂ２の月齢・身長を表す記号を目安にボタン留めすることで、幼児ｂ２の成長（身長）に合わせた快適な開脚横幅にて幼児ｂ２を保持することができる。
【００５３】
留め具２９は、開脚保持部材１３側の留め孔２８に通して簡単に抜け外れない形状に形成されて、キャリア通し支持部１６が備えられている腰ベルト３のベルト面に、図７の（ａ）に示すように、キャリア通し支持部１６の両端側に位置してベルト部材に支持されたボタン形態にて取り付けられる。つまり、留め具２９は、成長に伴う幼児ｂ２の体重増加などによって簡単に破損することが無い強靱な取付け構造にて開脚保持部材１３を腰ベルト３にボタン留めにて着脱可能に連結支持し得るように腰ベルト３に装着されている。
【００５４】
なお、図示を省略しているが、開脚保持部材１３の横幅方向の両側縁辺に沿わせた所定の幅にてクッション材などを必要に応じて内設させることができる。これにより、開脚保持部材１３の両側縁辺が幼児ｂ２の内股へ当るなどによる圧迫を軽減でき、開脚着座姿勢の快適性を高めることができる。
【００５５】
［作用説明］
つぎに、以上のように構成されている本実施形態に係る子守帯Ａの使用について簡単に説明する。
例えば、生後１ヶ月頃の幼児ｂ１を保持する場合には、キャリア本体１の背当て部１ａの縦長さが一番短い状態となるように、両肩ベルト２の延長ベルト部２ａに対する背当て部１ａの上端両側および両側中途の上下２ヶ所のベルト通し支持部１０，１１の連結支持高さを面ファスナ１２ａ，１２ｂにより調整変更すると同時に、腰ベルト３のキャリア通し支持部１６に折り返し支持される両肩ベルト２の延長ベルト部２ａを含めたキャリア本体１の尻受け部１ｂのキャリア通し支持部１６に対する折返し支持位置を変えるように調整する。
このとき、背当て部１ａの両側を支持する両肩ベルト２の他端側における雄雌一対のバックル９ａ，９ｂに対する連結ベルト８のベルト方向折返し位置の調整によって、両肩ベルト２の長さを調整する。つまり、使用者Ｂが両肩ベルト２を両肩に掛けて対面抱っこの着座姿勢（縦抱き姿勢）で生後１ヶ月頃の幼児ｂ１をキャリア本体１により保持したとき、生後１ヶ月頃の幼児ｂ１の体が使用者Ｂの腹部や胸元などに密着するように両肩ベルト２の長さを調整する。
【００５６】
また、第１のヘッドサポート４を使用する場合は、連結掛け紐３０を連結部材２３に掛ける紐止めにて第１のヘッドサポート４の幅広上辺両側を背当て部１ａの上端両側に連結支持させる。これにより、図８に示すように、生後１ヶ月頃の幼児ｂ１を無理のないバランスのとれた正しい着座姿勢（縦抱き姿勢）にて保持することができる。つまり、背当て部１ａの縦長さが長すぎるなどバランスの悪い着座姿勢とすることなく、生後１ヶ月頃の幼児ｂ１の頭部を第１のヘッドサポート４にてしっかりと保持することができ、また、生後１ヶ月頃の幼児ｂ１の成長に合わせた背当て部１ａの正しい縦長さにて快適に保持することができる。
【００５７】
そして、例えば、１歳頃まで成長した幼児ｂ２を保持する場合は、幼児ｂ２の成長（身長）に合わせた背当て部１ａの縦長さになるように、腰ベルト３のキャリア通し支持部１６に折り返し通されている両肩ベルト２の延長ベルト部２ａを含めた尻受け部１ｂのキャリア通し支持部１６に対する折返し支持位置を変えるように調整する。このとき、前記したように、背当て部１ａの両側を支持する両肩ベルト２の他端側における雄雌一対のバックル９ａ，９ｂの連結ベルト８に対するベルト方向の折返し係止位置の調整移動によって、両肩ベルト２の長さを調整する。
【００５８】
また、第１のヘッドサポート４を使用する場合は、紐止めに変えてボタン孔２６に連結部材２３を通すボタン留めにて第１のヘッドサポート４の幅広上辺両側を背当て部１ａの上端両側に連結支持させる。また、Ｍ字型の開脚着座姿勢にて保持できる月齢・成長段階の幼児ｂ２を保持する場合には、図７に示すように、背当て部１ａの下端側に備えられている収納部１５内から開脚保持部材１３を取り出し、開脚保持部材１３に備えられている留め孔２８を、腰ベルト３側に備えられている留め具２９に通して当該留め具２９に連結することで、股関節を開いたＭ字型の開脚着座姿勢で幼児ｂ２を保持する状態にすることができる。このとき、幼児ｂ２の成長（身長）に合わせて数カ所に備えられているいずれかの留め孔２８を選択して留め具２９に対して連結する。
これにより、開脚保持部材１３を背当て部１ａに連設する尻受け部１ｂとともに腰ベルト３に連結支持させて、月齢・成長段階に合わせたバランスのよい正しい開脚着座姿勢で幼児ｂ２を快適的に保持することができる。
【００５９】
また、冬場の寒い日や夏場の日差しが強い日などに幼児ｂ２を保持して外出するときには、背当て部１ａの上端側に備えられている収納部１４内からフード形態の第２のヘッドサポート５を取り出し、図１０に示すように、頭部全体を覆い包み込むように被せる。このとき、第２のヘッドサポート５のフード開口縁に備えられている両側のフード支持部材２７のバンド部２７ａを、両肩ベルト２側に備えられているリング部２７ｂに張りを持たせた状態にて連結支持させる。
これにより、風などによって吹き飛ばされることなく、第２のヘッドサポート５の頭部への装着状態が保たれ、幼児ｂ２の頭部を冬場の冷たい外気や夏場の強い日差しなどから保護することができる。
【００６０】
なお、図示を省略しているが、フード形態の第２のヘッドサポート５とパット入り形態の第１のヘッドサポート４とを一緒に使用して幼児ｂ２の頭部を支えることもできる。
【００６１】
このように、本実施形態の係る子守帯Ａによれば、生後１ヶ月頃の幼児ｂ１に合わせてキャリア本体１の背当て部１ａの縦長さを調整する場合は、図８に示すように、腰ベルト２のキャリア通し支持部１６から両肩ベルト２の延長ベルト部２ａを含めたキャリア本体１の尻受け部１ｂの両肩ベルト２側への折返し通し量を多めに調整することで、キャリア通し支持部１６に折り返し支持される尻受け部１ｂを含めた背当て部１ａの上端に至るキャリア本体１の縦長さを、生後１ヶ月頃の幼児ｂ１に合わせて短くすることができる。
そして、幼児ｂ２の成長（身長）に合わせて腰ベルト２のキャリア通し支持部１６からキャリア本体１の尻受け部１ｂを含めた両肩ベルト２の延長ベルト部２ａのキャリア本体１側への折返し通し量を多めに調整することで、図９に示すように、キャリア通し支持部１６に折り返し支持される尻受け部１ｂを含めた背当て部１ａの上端に至るキャリア本体１の縦長さを、幼児ｂ２の成長（身長）に合わせて長くすることができる。
【００６２】
また、足をＭ字型に開脚させた開脚着座姿勢での保持が可能な月齢・成長段階の幼児ｂ２を保持する場合には、キャリア本体１の背当て部１ａの縦長さ調整に加え、図７に示すように、背当て部１ａの下端側の収納部１５に収納保管されている開脚保持部材１３を使用することで、Ｍ字型の開脚着座姿勢にて幼児ｂ２を保持することができる。
また、開脚保持部材１３の幅広他辺側に備えられている留め孔２８に留め具２９を通して当該幅広他辺側を腰ベルト３に連結支持させるとき、開脚保持部材１３に表示されている幼児ｂ２の月齢・身長に合わせた記号により留め孔２８を選択することによって、幼児ｂ２の内股を圧迫するなどの不快感を与えることがない開脚着座姿勢にて保持でき、また、背当て部１ａの縦長さ調整に追従させて開脚保持部材１３の幅広他辺側を腰ベルト３に連結支持させることができる。
【００６３】
また、図８および図９に示すように、キャリア本体１の背当て部１ａの上端側に備えられている第１のヘッドサポート４を使用することで、生後１ヶ月頃の幼児ｂ１や１歳頃の幼児ｂ２の頭部を拘束することなく、頭部回りの快適性を維持した状態で後頭部から両側頭部を保持することができる。また、図１０に示すように、第２のヘッドサポート５を使用することで、頭部の略全体にすっぽりと覆い包むように被せることで、冬場の冷たい外気や夏場の強い日差しなどから幼児の頭部を保護することができる。つまり、幼児ｂ２の頭が後方や側方へ倒れ込まないように保持する通常の機能を備えている第１のヘッドサポート４と、防寒用、日除け用としての機能を備えている第２のヘッドサポート５とを使用に応じて、そして季節や天候などに応じて使い分けことができる。また、第１および第２のヘッドサポート４，５を一緒に使用することもできる。
【００６４】
また、本実施例では、図３および図４に示すように、キャリア本体１の背当て部１ａの上端両側と縦長さ方向両側の中途部位における上下２ヶ所のベルト通し支持部１０，１１に対して両肩ベルト２の延長ベルト部２ａを抜き差し挿通可能に形成してなることで、例えば、体重が比較的に軽い生後１ヶ月頃の幼児ｂ１を保持するときの腰ベルト、体重が重くなる１歳頃から２歳頃の幼児ｂ２を保持する腰ベルトなどの形態が異なる腰ベルトの取り替え選択使用が可能となる。
つまり、両肩ベルト２の延長ベルト２ａを背当て部１ａの上下２ヶ所のベルト通し支持部１０，１１から抜き外した後に、腰ベルト３のキャリア通し支持部１６から両肩ベルト２を引き抜くことで、腰ベルト３をキャリア本体１、両肩ベルト２から分離することができ、ベルト幅が広い、狭い、そして、厚さが厚い、薄いなどの形態を変えた腰ベルトを、幼児ｂ２の成長に合わせて選択的に取り替えることを可能している。
【００６５】
以上、本発明の実施形態について図面を参照して詳述してきたが、具体的な構成はこれらの実施形態に限られるものではなく、特許請求の範囲に記載の本発明の要旨を逸脱しない範囲の設計の変更などがあっても本発明に含まれる。
また、前述の各図で示した実施形態は、その目的および構成などに特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００６６】
例えば、両肩ベルト２の延長ベルト部２ａのベルト方向にキャリア本体１の背当て部１ａを、同背当て部１ａの縦長さを調整変更するように連結支持させる着脱可能な連結手段を、前記実施形態詳述の面ファスナ（マジックテープ（登録商標））１２ａ，１２ｂに変えて、他の手法を用いることができる。つまり、延長ベルト部２ａに対する背当て部１ａの着脱可能な連結支持位置をベルト方向に、例えば、スライド方式などによって無段階で調整可能と成し、しかも、２歳頃の幼児ｂ２を保持するのに十分な支持強度が得られるものであればよい。
【００６７】
また、第２のヘッドサポート５のフード開口縁両側を、両肩ベルト２に係脱可能に連結支持させるためのフード支持部材２７のバンド部２７ａを、伸縮性を有するゴム紐などを用いて形成し、当該バンド部２７ａの他端側に、リング部２７ｂに引っ掛けるように連結支持させるフック形態の掛止具を、または、リング部２７ｂに挟み込むように連結させるクリップ形態の開閉具（留め具）などを備えてなる構成を採用することで、リング部２７ｂに対するバンド部２７ａの着脱を片手操作で簡単に行うことを可能にすることができる。
【符号の説明】
【００６８】
Ａ      子守帯
１      キャリア本体
１ａ    背当て部
１ｂ    尻受け部
２      肩ベルト
２ａ    延長ベルト部
３      腰ベルト
４      第１のヘッドサポート
５      第２のヘッドサポート
１０，１１  ベルト通し支持部
１２ａ，１２ｂ  面ファスナ（連結手段）
１３    開脚保持部材
１４，１５  収納部
１６    キャリア通し支持部
２４    連結部材
２６    ボタン孔
３０    連結掛け紐
【図１】
0006718167.tif 000002
【図２】
0006718167.tif 000003
【図３】
0006718167.tif 000004
【図４】
0006718167.tif 000005
【図５】
0006718167.tif 000006
【図６】
0006718167.tif 000007
【図７】
0006718167.tif 000008
【図８】
0006718167.tif 000009
【図９】
0006718167.tif 000010
【図１０】
0006718167.tif 000011